(57)【要約】無線通信システム内で、トンネリングを容易にするシステムおよび方法論が記述される。フロー識別情報は、通信システム内のデータフローに対して動的に生成される。このフロー識別情報は、それぞれのデータフローに適用さるべき適切なフロー固有ポリシーを決定することを助ける。フロー識別情報は、フロー固有ポリシーと共に、フロー固有ポリシーに従ってデータフローを送信するアクセスメカニズムに伝達される。異なる態様は、複数のソースで発生する異なるIPフローを識別するためのフロー識別情報と組み合わせてソースアドレスを使用することに関する。フロー識別情報は、また、異なるフローが適切なルールに従って送信されたか否かを検証することを容易にする。生成されたデータフローは、検証プロセスを容易にするために、それぞれのフロー識別情報と共に送信される。【選択図】図6
2011525319.tif 000002
【特許請求の範囲】
【請求項１】
無線通信環境においてトンネリングを容易にする方法であって：
1つ以上のデータフロー、または1つ以上のデータフローが受信されるべきであることを示すインジケーションのうちの1つを受信することと；
前記1つ以上のデータフローの各々についてのフロー識別情報を生成することと；
フローポリシーと前記1つ以上のデータフローとの関連付けを容易にするために、ポリシーコンポーネントに前記フロー識別情報を送信することと；
を備える方法。
【請求項２】
前記フロー識別情報を送信することは、1つ以上のソースアドレス、DSCPまたはポート番号を前記フロー識別情報と共に送信することをさらに備える、請求項1の方法。
【請求項３】
前記少なくとも1つのデータフローに対して一意的な識別子を定義するために、少なくとも1つの前記データローの少なくともソースアドレスを、それぞれのフロー識別情報と組み合わせることをさらに備える、請求項2の方法。
【請求項４】
前記フローポリシーは、QoSルール、課金ルール、またはPCCルールのうちの1つ以上を含む、請求項1の方法。
【請求項５】
前記1つ以上のデータフローのうちの少なくとも1つを暗号化することをさらに備える、請求項1の方法。
【請求項６】
前記少なくとも1つのデータフローはアントラステッドアクセスの検出を受けて暗号化される、請求項4の方法。
【請求項７】
1つ以上の別のデータフローを、それぞれのフロー識別情報と共に受信することをさらに備える、請求項1の方法。
【請求項８】
前記1つ以上の別のデータフローが、関連フローポリシーに従って、アクセスメカニズムを通して送信されたか否かを検証することをさらに備える、請求項7の方法。
【請求項９】
前記検証は、前記1つ以上の別のデータフロー内で受信された前記フロー識別情報と、前記1つ以上の別のデータフローのそれぞれのフローポリシーに関連付けられた前記フロー識別情報とを比較することに基づく、請求項8の方法。
【請求項１０】
前記1つ以上のデータフローの外ヘッダにおいて、フローラベル、フローIDまたはポインタのうちの1つ以上として前記フロー識別情報を表すことをさらに備える、請求項1の方法。
【請求項１１】
1つ以上のデータフローについてのフロー識別情報を生成すること、および、前記生成されたフロー識別情報をポリシーサーバに送信することによって、適切なフロー固有ルールとデータフローとの関連付けを容易にすることに関する命令を保存するメモリと；
前記メモリに結合され、前記メモリ内に保存された前記命令を実行するように構成されたプロセッサと；
を備える無線通信装置。
【請求項１２】
前記1つ以上のデータフローは暗号化される、請求項11の装置。
【請求項１３】
前記暗号化は、トラステッドアクセスからアントラステッドアクセスへのアクセスメカニズムの変更の検出を受けてアクティブ化される、請求項12の装置。
【請求項１４】
前記フロー識別情報は、フローラベル、ソースアドレス、DSCPまたはポート番号のうちの1つ以上を備える、請求項11の装置。
【請求項１５】
ソースアドレスは、前記データフローの少なくとも1つを一意的に識別するために、フローラベルとして表される前記フロー識別情報と組み合わせて使用される、請求項14の装置。
【請求項１６】
前記フロー固有ルールはQoSルールまたは課金ルールのうちの1つ以上を備える、請求項11の装置。
【請求項１７】
無線通信環境においてデータフローの送信を可能にする無線通信装置であって：
1つ以上のデータフロー、または受信されるべき1つ以上のデータフローのインジケーションのうちの1つを受信するための手段と；
適切なフロー固有ルールが、少なくとも前記生成されたフロー識別情報に基づいて、前記データフローの各々と関連付けられるように、前記データフローの各々についてのフロー識別情報を生成するための手段と；
前記生成されたフロー識別情報を送信するための手段と；
を備える無線通信装置。
【請求項１８】
前記データフローは暗号化される、請求項17の無線通信装置。
【請求項１９】
前記データフローは、前記受信するための手段がアントラステッドアクセスを検出する時に暗号化される、請求項17の無線通信装置。
【請求項２０】
前記生成されたフロー識別情報を送信するための手段は、また、前記フロー固有ルールとそれぞれのフローとの関連付けを容易にするために、前記データフローのソースアドレスを前記フロー識別情報に加えて送信し、前記フロー固有ルールは、QoSルールまたは課金ルールのうちの1つ以上を備える、請求項17の無線通信装置。
【請求項２１】
コンピュータ読み取り可能媒体を備えるコンピュータプログラム製品であって、前記コンピュータ読み取り可能媒体は：
1つ以上のデータフローを受信するためのコードと；
前記データフローの各々についてのフロー識別情報を生成するためのコードと；
適切なフロー固有ルールと前記データフローとの関連付けのために、前記生成されたフロー識別情報をポリシー識別コンポーネントに送信するためのコードと；
を備える、コンピュータプログラム製品。
【請求項２２】
前記コンピュータ読み取り可能媒体は、前記適切なフロー固有ルールと前記データフローとの関連付けのために、フローラベルとして表される前記フロー識別情報に加えて、ソースアドレスを送信するためのコードをさらに備える、請求項21のコンピュータプログラム製品。
【請求項２３】
前記コンピュータ読み取り可能媒体は、前記データフローに関連付けられた暗号化を検出するためのコードをさらに備える、請求項21のコンピュータプログラム製品。
【請求項２４】
前記コンピュータ読み取り可能媒体は、適切なフロー固有ルールの前記関連付けのために、前記フロー識別情報としてIPv6フィールドの1つ以上のタプルを送信するためのコードをさらに備え、前記フロー固有ルールはQoSルールまたは課金ルールの1つ以上を備える、請求項21のコンピュータプログラム製品。
【請求項２５】
1つ以上のデータフローまたは1つ以上のデータフローが受信されるべきであることを示すインジケーションの1つを受信し；
前記データフローの各々についてのフロー識別情報を生成し；
前記生成されたフロー識別情報をポリシー決定機能に送信することによって、適切なフローポリシーと前記データフローとの関連付けを容易にする；
ように構成されたプロセッサ：
を備える無線通線装置。
【請求項２６】
前記プロセッサは、前記フローポリシーの関連付けのための前記フロー識別情報に加えて、ソースアドレス、または、DSCPまたはトランスポート層ポート番号を備えるIPv6フィールドのタプルからの情報のうちの1つ以上を用いるようにさらに構成される、請求項25の無線通信装置。
【請求項２７】
前記プロセッサは、前記フロー識別情報を生成するために、アントラステッドアクセスメカニズムを検出するようにさらに構成される、請求項25の無線通信装置。
【請求項２８】
無線通信環境においてトンネリングを容易にする方法であって、
1つ以上のデータフローを識別することと；
前記データフローの各々に関連付けられたそれぞれのフロー識別情報を検索することと；
前記データフローで実施されるべき1つ以上のルールを識別することと；
前記識別されたルールに従って前記データフローを送信することと；
を備える方法。
【請求項２９】
それぞれのデータフローに加えて、前記フロー識別情報を送信することをさらに備える、請求項28の方法。
【請求項３０】
前記ルールは、課金ルールまたはQoSルールの1つ以上を備える、請求項28の方法。
【請求項３１】
前記データフローを送信することは、前記ルールに基づいて、適切なQoSパイプにおいて前記データフローを送信することをさらに備える、請求項28の方法。
【請求項３２】
それぞれのデータフローに加えて、前記検索されたフロー識別情報を送信することをさらに備える、請求項28の方法。
【請求項３３】
1つ以上のデータフローに関連付けられたフロー識別情報を識別すること、前記データフローで実施されるべき1つ以上のポリシールールを識別すること、およびそれぞれのポリシールールに従って前記データフローを送信することに関する命令を保存するメモリと；
前記メモリに結合され、前記メモリに保存された前記命令を実行するように構成されたプロセッサと；
を備える無線通信装置。
【請求項３４】
前記生成されたデータフローは暗号化される、請求項33の無線通信装置。
【請求項３５】
前記フロー識別情報は、ソースアドレス、DSCPまたはポート番号のうちの1つ以上を備える、請求項33の無線通信装置。
【請求項３６】
前記ポリシールールは、課金ルールまたはQoSルールのうちの1つ以上を備える、請求項33の無線通信装置。
【請求項３７】
無線通信環境においてデータフローのトンネリングを可能にする無線通信装置であって：
フロー識別情報を受信するための手段と；
データパケットの前記フロー識別情報を適切なポリシールールにマッチングさせるための手段と；
それぞれのポリシールールに従って、前記データパケットを送信するための手段と；
を備える無線通信装置。
【請求項３８】
前記データパケットを生成するための手段をさらに備える、請求項37の無線通信装置。
【請求項３９】
コンピュータ読み取り可能媒体を備えるコンピュータプログラム製品であって、前記コンピュータ読み取り可能媒体は：
1つ以上のデータフローを識別するためのコードと；
前記データフローに関連付けられたフロー識別情報を識別するためのコードと；
前記データフローで実施されるべき1つ以上のポリシールールを識別するためのコードと；
関連ポリシールールに従って、前記データフローを送信するためのコードと；
を備える、ンピュータプログラム製品。
【請求項４０】
プロセッサを備える無線通信装置であって、前記プロセッサは：
1つ以上のデータフローを識別し；
前記データフローに関連付けられたフロー識別情報を検索し；
前記データフローで実施されるべき1つ以上のポリシールールを識別し；
前記ポリシールールに従って前記データフローを送信する；
ように構成される、無線通信装置。
【請求項４１】
無線通信環境においてトンネリングを容易にする方法であって：
1つ以上のデータフローのインジケーションを受信することと；
前記1つ以上のデータフローの各々についてのフロー識別情報を受信することと；
前記データフローの各々に対して実施されるべきフロー固有ルールを決定することと；
前記決定されたフロー固有ルールに従って、前記1つ以上のデータフローの通信を容易にするために、前記フロー識別情報および前記決定されたフロー固有ルールを送信することと；
を備える方法。
【請求項４２】
前記データフローで実施されるべき前記フロー固有ルールの決定を容易にするために、前記データフローの1つ以上のソースアドレスを受信することをさらに備える、請求項41の方法。
【請求項４３】
QoSルールまたは課金ルールのうちの1つ以上を備える既存のルールのセットに基づいて、前記フロー固有ルールをさらに決定する、請求項41の方法。
【請求項４４】
前記データフローの各々に対して実施されるべき前記フロー固有ルールを動的に決定することをさらに備える、請求項41の方法。
【請求項４５】
1つ以上のデータフローについてのフロー識別情報を受信すること、および前記データフローの適切なフロー固有ポリシーの決定を容易にすることに関する命令を保存するメモリと；
前記メモリに結合され、前記メモリに保存された前記命令を実行するように構成されたプロセッサと；
を備える無線通信装置。
【請求項４６】
前記データフローで実施されるべき前記フロー固有ポリシーの決定を容易にするために、前記データフローの1つ以上のソースアドレスを受信するための命令をさらに備える、請求項45の無線通信装置。
【請求項４７】
前記データフローで実施されるべき選択のための予め決められたフロー固有ポリシーをさらに備え、前記選択は少なくとも前記受信されたフロー識別情報に基づく、請求項45の無線通信装置。
【請求項４８】
前記データフローの各々に対して実施されるべき前記フロー固有ポリシーを動的に決定するための命令をさらに備える、請求項45の無線通信装置。
【請求項４９】
前記フロー固有ポリシーはQoSポリシーまたは課金ポリシーのうちの1つ以上をさらに備える、請求項45の無線通信装置。
【請求項５０】
無線通信環境においてデータフローのトンネリングを可能にする無線通信装置であって：
1つ以上のデータフローのインジケーションと前記1つ以上のデータフローの各々についてのフロー識別情報とを受信するための手段と；
前記データフローの各々に対して実施されるべきフロー固有ルールを決定するための手段と；
前記決定されたフロー固有ルールに従って、前記1つ以上のデータフローの送信を容易にするために、前記フロー識別情報および前記フロー固有ルールを送信するための手段と；
を備える無線通信装置。
【請求項５１】
前記データフローを生成するための手段をさらに備える、請求項50の無線通信装置。
【請求項５２】
コンピュータ読み取り可能媒体を備えるコンピュータプログラム製品であって、前記コンピュータ読み取り可能媒体は；
1つ以上のデータフローのインジケーション、および、前記1つ以上のデータフローについてのフロー識別情報を受信するためのコードと；
前記データフローの各々に対して実施されるべきフロー固有ルールを決定するためのコードと；
前記決定されたフロー固有ルールに従って、前記1つ以上のデータフローの送信を容易にするために、前記フロー識別情報および前記フロー固有ルールを送信するためのコードと；
を備える、コンピュータプログラム製品。
【請求項５３】
プロセッサを備える無線通信装置であって、前記プロセッサは：
1つ以上のデータフローのインジケーションおよび前記1つ以上のデータフローの各々についてのフロー識別情報を受信し；
前記データフローの各々に対して実施されるべきフロー固有ルールを決定し；
前記決定されたフロー固有ルールに従って、前記1つ以上のデータフローの送信を容易にするために、前記フロー固有ルールと共に前記フロー識別情報を送信する；
ように構成される、無線通信装置。
【請求項５４】
前記フロー識別情報は、フローラベル、ポインタ、ソースアドレス、DSCPまたはポート番号のうちの1つ以上を備える、請求項53の無線通信装置。
【請求項５５】
前記フロー固有ルールは課金ルールまたはQoSルールのうちの1つ以上を備える、請求項53の無線通信装置。
【請求項５６】
無線通信環境において、トンネリングを容易にする方法であって：
固有ルールに従って送信される1つ以上のデータフローを受信することと；
前記固有ルールと関連付けられたフロー識別情報を受信することと；
前記受信されたデータフローが前記固有ルールに従って送信されたことを検証するために、前記受信されたデータフローに加えて前記フロー識別情報を送信することと；
を備える方法。
【請求項５７】
前記フロー識別情報は、ソースアドレス、DSCPまたはポート番号のうちの1つ以上を備える、請求項56の方法。
【請求項５８】
前記1つ以上の受信されたデータフローは暗号化される、請求項56の方法。
【請求項５９】
前記固有ルールは、QoSルールまたは課金ルールのうちの1つ以上を備える、請求項56の方法。
【請求項６０】
固有ルールに従って送信される1つ以上のデータフローを受信すること、前記固有ルールに関連付けられたフロー識別情報を検索すること、および前記固有ルールの検証を容易にするために、前記受信されたデータフローに加えて、前記フロー識別情報を送信することに関する命令を保存するメモリと；
前記メモリに結合され、前記メモリに保存される前記命令を実行するように構成されたプロセッサと；
を備える無線通信装置。
【請求項６１】
無線通信環境においてデータフローのトンネリングを可能にする無線通信装置であって：
固有ルールに従って送信される1つ以上のデータフローを受信するための手段と；
前記固有ルールに関連付けられたフロー識別情報を検索するための手段と；
前記固有ルールの検証を容易にするために、前記受信されたデータフローに加えて、前記フロー識別情報を送信するための手段と；
を備える無線通信装置。
【請求項６２】
コンピュータ読み取り可能媒体を備えるコンピュータプログラム製品であって、前記コンピュータ読み取り可能媒体は：
固有ルールに従って送信される1つ以上のデータフローを受信するためのコードと；
前記固有ルールに関連付けられたフロー識別情報を検索するためのコードと；
前記固有ルールの検証を容易にするために、前記受信されたデータフローに加えて、前記フロー識別情報を送信するためのコードと；
を備える、コンピュータ読み取り可能媒体。
【請求項６３】
プロセッサを備える無線通信装置であって、前記プロセッサは：
固有ルールに従って送信される1つ以上のデータフローを受信し；
前記固有ルールに関連付けられたフロー識別情報を検索し；
前記受信されたデータフローがポリシーコンポーネントによって決定されたルールに従って送信されたことについての検証を容易にするために、前記受信されたデータフローに加えて前記フロー識別情報を送信する；
ように構成される、無線通信装置。
【発明の詳細な説明】
【関連出願への相互参照】
【０００１】
本出願は、2008年6月2日に出願された「PCC向上のための方法および装置（A method and apparatus for PCC enhancement）」と題する米国仮出願61/057,968号の利益を主張する。前述の出願の全体は参照により本明細書に組み込まれる。
【技術分野】
【０００２】
以下の記述は一般に無線通信に関し、さらに詳細には、無線通信システムにおいて用いられるポリシーおよび課金制御機能を向上することに関する。
【背景技術】
【０００３】
無線通信システムは、様々なタイプの通信を提供するために広く展開され、例えば、音声および／またはデータは、そのような無線通信システムを介して提供される。典型的な無線通信システムまたはネットワークは、1つ以上の共有リソース（例えば、帯域幅、送信電力など）へのアクセスを複数のユーザーに提供する。例えば、システムは、周波数分割多重（FDM）、時分割多重（TDM）、符号分割多重（CDM）、直交周波数分割多重（OFDM）およびその他などの様々な多元接続技術を使用する。
【０００４】
一般に、無線多重接続通信システムは、複数のアクセス端末のための通信を同時にサポートする。各アクセス端末は、順方向および逆方向リンク上の伝送を介して1つ以上の基地局と通信する。順方向リンク（またはダウンリンク）は基地局からアクセス端末への通信リンクを指し、逆方向リンク（またはアップリンク）はアクセス端末から基地局への通信リンクを指す。この通信リンクは、単一入力単一出力（single-in-single-out）、多重入力単一出力（multiple-in-single-out）、または多重入力多重出力（MIMO）システムを介して確立される。
【０００５】
MIMIOシステムは、一般に、データ送信のために、複数（NT個）の送信アンテナおよび複数（NR個）の受信アンテナを用いる。NT個の送信アンテナおよびNR個の受信アンテナで形成されるMIMOチャネルは、空間チャンネル（spatial channel）と呼ばれるNS個の個別チャネルに分解される。ここで、
【数１】
2011525319.tif 000003
【０００６】
である。NS個の個別チャネルの各々は次元（dimension）に対応する。さらに、MIMOシステムは、複数の送信アンテナおよび受信アンテナによって形成される追加の次元が利用される場合、改善されたパフォーマンス（例えば、増大されたスペクトル効率、より高いスループット、および／または、より高い信頼性）を提供する。
【０００７】
MIMOシステムは、共通の物理媒体上で順方向および逆方向リンク通信を分割するために、様々な二重化（duplexing） 技術をサポートする。例えば、周波数分割複信（FDD）システムは、順方向および逆方向リンク通信に対して異なる周波数領域を利用する。さらに、時分割複信（TDD）システムにおいては、順方向および逆方向リンク通信は、相互性原理が逆方向リンクチャネルから順方向リンクチャンルの推定を可能にするように、共通の周波数領域を使用する。
【０００８】
無線通信システムは、一般に、カバレッジエリアを複数のUEに提供する1つ以上の基地局を用いる。典型的な基地局は、ブロードキャスト、マルチキャストおよび／またはユニキャストサービスのために複数のデータストリームを送信する。ここで、データストリームは、UEにとって関心のあるデータのストリームである。同様に、UEはデータを基地局または別のUEに送信する。様々なデータストリームは、音声、ビデオ、または、ユーザーによって生成される別の通信データ、もしくは、UEおよび／またはネットワークの動きを決定する制御データに関する。送信されているデータのタイプ、およびユーザーによって申し込まれたサービスのタイプなどの別の考慮に基づいて、異なるデータストリームは、それらと関連付けられた異なるポリシー要求を有する。これゆえに、これらのポリシーの正確な通信が、データを正しく受信または送信するために要求される。
【発明の概要】
【０００９】
下記は、そのような実施形態の基本的な理解を提供するために、1つ以上の実施形態の簡易化された概要を表す。この概要は、全ての予想される実施形態の広範囲な概観ではない。また、全ての実施形態のキーまたは不可欠な要素を識別すること、および、任意または全ての実施形態の範囲を描写することを意図しない。その唯一の目的は、以下で示される、より詳細な記述への前置きとして、簡易な形で1つ以上の態様のいくつかのコンセプトを示すことである。
【００１０】
1つ以上の実施形態およびそれらの対応する開示に従って、様々な態様が、無線アクセス通信システムにおいて、暗号化を容易にすることと関連して記述される。特に、無線通信環境においてトンネリングを容易にする方法が、一態様に従って開示される。方法は、1つ以上のデータフロー、またはデータフローが受信されるかもしれないということを示すインジケーション（indication）を受信する事を備える。データフローは、異なる態様に従って、UEまたはアクセスネットワークのいずれかによって生成される。フロー識別情報はデータフローの各々に対して生成される。そのフロー識別情報はフローポリシーとデータフローとの関連付けを容易にする。これは、各フローに対して実施されるべき適切なポリシー／ルールを識別するために情報を利用するポリシーコンポーネントに、生成されたフロー識別情報を送信することによって達成される。ポリシー／ルールは、課金態様またはQoS考慮に関する。さらなる態様において、データフローの各々に対してソースアドレスおよびフロー識別情報の組み合わせが一意的な識別子の機能を果たすように、データフローが発生するソースのソースアドレス、あるいはIPv6フィールドからの任意のタプル（tuple）が、また、フロー識別情報に加えて送信される。フロー識別情報の生成は、データフローのアクセスのモダリティに基づく動的なプロセスである。例えば、初期のトラステッドモード（trusted mode）内のUEがアントラステッドモード（untrusted mode）のアクセスに移動する場合、UEまたはホームエージェントはデータフローの暗号化を開始する。そのような状況下において、暗号化されたデータフローの適切な処理を容易にするために、フロー識別情報の生成が開始される。さらに、1つ以上の別のデータフローのフロー識別情報が受信され、1つ以上の別のデータフローが適切なポリシーに従って送信されたことを検証するために、1つ以上の別のデータフローに関連付けられたフローポリシーによって決定された識別情報と比較される。
【００１１】
別の態様は、メモリおよびプロセッサを備える無線通信装置に関する。メモリは、1つ以上のデータフローについてのフロー識別情報を生成すること、および、生成されたフロー識別情報をポリシーサーバに送信することによって適切なフロー固有ルールとデータフローとの関連付けを容易にすることに関する命令を保存する。メモリに結合されたプロセッサは、メモリ内に保存された命令を実行するように構成される。さらに詳細な態様において、暗号化は、トラステッドアクセスからアントラステッドアクセスへのアクセスメカニズムの変更の検出を受けてアクティブ化される。さらに、ソースアドレスは、フローラベルとして表されるフロー識別情報に加えて、暗号化されたデータフローを一意的に識別するために使用される。
【００１２】
無線通信環境においてデータフローの送信を可能にする無線通信装置が、本態様に従って開示される。無線通信装置は、1つ以上のデータフロー、または1つ以上のデータフローが受信されるべきであることを示すインジケーションを受信する受信手段を備える。フロー識別情報を生成するための手段は、データフローの各々を識別するために用いられる。装置は、また、データフローと適切なフロー固有ルールとの関連付けのために、生成されたフロー識別情報を送信するための送信手段を備える。
【００１３】
無線システムにおいて、データのトンネリングを容易にするためのコードを有するコンピュータ読み取り可能媒体を備えるコンピュータプログラム製品が本態様に従って開示される。コードは、1つ以上のデータフローを受信すること、データフローの各々についてのフロー識別情報を生成すること、およびデータフローと適切なフロー固有ルールとの関連付けのために、生成されたフロー識別情報をポリシー識別化コンポーネントに送信することを容易にする。
【００１４】
別の態様は、データフローの通信を容易にするように構成されるプロセッサを備える無線通信装置に関する。プロセッサは、1つ以上のデータフローまたは1つ以上のデータフローが受信されるべきことを示すインジケーションの1つを受信し、データフローの各々についてのフロー識別情報を生成するために構成される。それは、また、生成されたフロー識別情報をポリシー決定機能に送信することによって、適切なフローポリシーとデータフローとの関連付けを容易にする。
【００１５】
無線通信環境においてトンネリングを容易にする方法が、さらに別の態様に従って開示される。本態様は、1つ以上のデータフローを識別することに関係する。ここで、データフローはUEで生成され、またはUEによって別のネットワークから受信される。データフローで実施されるべき適切なポリシールールが識別される。データフローは、次に、適切なポリシールールが異なるデータフローに対して実施されたことをアクセスネットワークが検証し易くするために、ポリシールールに従って送信される。さらなる態様において、データストリームの送信のためのQoSパイプが、課金ルールまたはQoSルールの1つ以上を備えるポリシールールを介して識別される。加えて、フロー識別情報が、検証プロセスを容易にするために、フローの外ヘッダ（outer header）で送信される。
【００１６】
メモリおよびプロセッサを備える無線通信装置が、別の態様に従って開示される。メモリは、データフローに関連付けられたフロー識別情報を検索することと、そのデータフローで実施されるべきポリシールールを識別することと、そのポリシールールに従ってデータフローを送信することとに関する命令を保存する。プロセッサはメモリに結合され、およびメモリに保存される命令を実行するように構成される。
【００１７】
無線通信環境においてデータフローのトンネリングを可能にする無線通信装置が、本態様に従って開示される。これは、フローID情報を受信するための手段と、データパケットのフローID情報を適切なポリシールールにマッチングさせるための手段とを備える。同様に装置内に含まれる送信手段は、それぞれのポリシールールに従ってデータパケットを送信することを容易にする。
【００１８】
別の態様は、コンピュータ読み取り可能媒体を備えるコンピュータプログラム製品に関する。媒体は、1つ以上のデータフローを識別するためのコードと、データフローに関連付けられた1つ以上のフロー識別情報を識別するためのコードと、データフローで実施されるべき1つ以上のポリシールールを識別するためのコードとを備える。また、それぞれのポリシールールに従ってデータフローを送信するためのコードが媒体内に含まれる。
【００１９】
プロセッサを備える無線通信装置が本態様に従って開示される。プロセッサは、データフローで実施されるべきポリシールールもまた識別されるように、1つ以上のデータフローを識別し、データフローに関連付けられたフロー識別情報を識別するように構成される。ポリシールールの識別に基づいて、プロセッサは、それぞれのポリシールールに従って、データフローの送信を容易にする。
【００２０】
無線通信環境においてトンネリングを容易にする方法が、さらに別の態様に従って開示される。方法は、1つ以上のデータフローの各々についてのフロー識別情報に加えて、1つ以上のデータフローに関連付けられたインジケーションを受信することを備える。データフローの各々に対して実施されるべきフロー固有ルールが決定される。フロー識別情報は、決定されたルールに従って1つ以上のデータフローの通信を容易にするために、フロー固有ルールと共に送信される。異なる態様は、QoSルールまたは課金ルールの1つ以上を備える既存のルールセットに基づいてルールを決定すること、またはデータフローの各々に対して実施されるべきルールを動的に決定することに関する。
【００２１】
メモリおよびプロセッサを備える無線通信装置が、さらに別の態様に従って開示される。メモリは、1つ以上の受信されたデータフローについてのフロー識別情報を受信すること、および、データフローに対する適切なフロー固有ルールの決定を容易にすることに関する命令を保存する。メモリに結合されるプロセッサは、メモリに保存される命令を実行するように構成される。
【００２２】
無線通信環境においてデータフローのトンネリングを可能にする無線通信装置が、本態様に従って開示される。それは、1つ以上のデータフローのインジケーション、および、その1つ以上のデータフローの各々についてのフロー識別情報を受信するための手段を備える。装置に含まれる決定するための手段は、データフローの各々に対して実施されるべきフロー固有ルールを識別する。フロー識別情報を送信するための手段は、決定されたフロー固有ルールに従って、1つ以上のデータフローの送信を容易にする。
【００２３】
コンピュータ読み取り可能媒体を備えるコンピュータプログラム製品が本態様において開示される。コンピュータ読み取り可能媒体は、1つ以上のデータフローに関連付けられたインジケーション、および、その1つ以上のデータフローの各々についてのフロー識別情報を受信するためのコードを備える。データフローの各々に対して実施されるべきフロー固有ルールを決定するためのコードがまた、媒体に含まれる。フロー識別情報を送信するためのコードは、決定されたルールに従って、1つ以上のデータフローの送信を容易にする。
【００２４】
プロセッサを備える無線通信装置が本態様に従って開示される。プロセッサは、1つ以上のデータフローに関連付けられたインジケーション、および、そのデータフローの各々についてのフロー識別情報を受信するように構成される。それは、データフローの各々に対して実施されるべきフロー固有ルールを決定し、決定されたルールに従って、1つ以上のデータフローの送信を容易にするようにさらに構成される。
【００２５】
無線通信環境において、トンネリングを容易にする方法が本態様に従って開示される。方法は、固有のルールに従って送信される1つ以上のデータフローに関連付けられたインジケーションを受信することを備える。受信されたデータフローについてのフロー識別情報は、データフローが、ポリシーコンポーネントによって決定される固有ルールに従って送信されたことの検証を容易にするために、データフローと共に検索および伝達される。異なる態様に従って、フロー識別情報は、ソースアドレス、DSCPまたはポート番号の1つ以上を備える。加えて、固有のルールは、課金ルールまたはQoSルールの1つ以上を備える。
【００２６】
メモリおよびプロセッサを備える無線通信装置が、別の態様に従って開示される。メモリは、固有ルールに従って送信された1つ以上のデータフローを受信すること、固有ルールに関連付けられたフロー識別情報を検索すること、固有ルールの検証を容易にするためにフロー識別情報をデータフローと共に送信することに関する命令を保存する。メモリに結合されたプロセッサは、メモリに保存された命令を実行するように構成される。
【００２７】
無線通信環境においてデータフローのトンネリングを可能にする無線通信装置が、さらに別の態様に従って開示される。それは、固有ルールに従って送信される1つ以上のデータフローを受信するための手段と、固有ルールに関連付けられたフロー識別情報を検索するための手段と、固有データの検証を容易にするために、フロー識別情報をデータフローと共に送信するための手段とを備える。
【００２８】
コンピュータ読み取り可能媒体を備えるコンピュータプログラム製品が本態様に従って開示される。コンピュータ読み取り可能媒体は、固有ルールに従って送信される1つ以上のデータフローを受信するためのコードと、固有ルールに関連付けられたフロー識別情報を検索するためのコードとを備える。それは、また、固有ルールの検証を容易にするためにフロー識別情報をデータフローと共に送信するためのコードを備える。
【００２９】
プロセッサを備える無線通信装置がさらに別の態様に従って開示される。プロセッサは、固有ルールに従って送信される1つ以上のデータフローを受信するように構成される。それは、さらに、固有ルールに関連付けられたフロー識別情報を検索し、固有ルールの検証のために、データフローに加えて、フロー識別情報の送信を容易にする。
【００３０】
前述および関連する目的の達成に向けて、1つ以上の実施形態は、以下に十分に記述され、請求項で詳しく示される特徴を備える。本明細書で示される以下の記述および添付の図は、1つ以上の実施形態のある例示的な態様を詳述する。しかし、これらの態様は、様々な実施形態の原理が用いられる様々な方法のほんの一部を示し、記述される実施形態は、全てのそのような態様およびそれらの均等物を含むことを意図する。
【図面の簡単な説明】
【００３１】
【図１】図1は、本明細書において提示される様々な実施形態に従って、無線通信システムの例証を示す図である。
【図２】図2は、一態様に従って、3GPP-LTEシステムの参照アーキテクチャの例証を示す図である
【図３Ａ】図3Aは、通信システム内のトンネリングサポートを容易にするために使用されるアクセスネットワークエレメントおよび対応するUEの概略図である。
【図３Ｂ】図3Bは、通信トンネルにおいてフロー識別情報と共に送信されているIPペイロードの概略図である。
【図４】図4は、データの暗号化を容易にする通信システムの様々なエンティティ間で交換されるシグナリングの例証である。
【図５】図5は、さらなる態様に従って、データの暗号化を容易にする通信システムの様々なエンティティ間で交換されるシグナリングの例証である。
【図６】図6は、異なるネットワークエンティティに適切なルールを一意的に適用するためにフローラベルを生成することを容易にする方法論の例証を示す図である。
【図７】図7は、別の態様に従って、通信システムにおけるトンネリングを容易にする方法論を示すフローチャートの例証を示す図である。
【図８】図8は、データのトンネリングのためのポリシーおよび課金制御の向上を容易にするための方法論を示すフローチャートである。
【図９Ａ】図9A は、様々なデータフローがUEによって正しい課金／QoSルールで構成されるか否かの決定を容易にする方法論のフローチャートである。
【図９Ｂ】図9Bは、様々なデータフローがUEによって正しい課金／QoSルールで構成されるか否かの決定を容易にする別の方法論のフローチャートである。
【図１０】図10は、一態様に従って、動的なフローID生成の方法論を詳述するフローチャートの例証である。
【図１１】図11は、本明細書に提示される様々な実施形態に従って、無線通信システムの例証を示す図である。
【図１２】図12は、本明細書で記述される様々なシステムおよび方法に関連して用いられる例示的な無線ネットワーク環境の例証である。
【図１３】図13は、無線通信環境において暗号化を使用することを可能にする例示的なシステムの例証である。
【図１４】図14は、通信システム内の様々なパケットフローに対して適切なポリシールールの実施を可能にする別の例示的なシステムである。
【図１５】図15は、通信システム内の様々なパケットフローに対して適切なルールの実施を可能にする別の例示的なシステムである。
【発明の詳細な説明】
【００３２】
様々な実施形態が図に関連して記述され、同様の参照番号は全体として同様のエレメントを指すために使用される。以下の記述において、説明の目的のために、多数の特定の詳細が1つ以上の実施形態の完全な理解を提供するために示される。しかし、そのような実施形態が、これらの特定の詳細ではなく実施されうることは明白である。別の例において、周知の構造およびデバイスは、1つ以上の実施形態の記述を容易にするためにブロック図の形態で示される。
【００３３】
本出願で使用されるように、「コンポーネント」、「モジュール」、「システム」といった用語およびそのようなものは、コンピュータ関連エンティティ（ハードウェア、ファームウェア、ハードウェアとソフトウェアの組み合わせ、ソフトウェア、または実行中のソフトウェアのいずれか）を指すことを意図する。例えば、コンポーネントは、プロセッサで稼働するプロセス、プロセッサ、オブジェクト、実行可能ファイル、実行スレッド、プログラム、および／またはコンピュータでありうるがそれに限定されない。例として、計算デバイス上で稼働するアプリケーションおよび計算デバイスの両方はコンポーネントでありうる。1つ以上のコンポーネントは、プロセスおよび／または実行スレッド内に存在し、1つのコンポーネントは、1つのコンピュータ上でローカライズされ、および／または2つ以上のコンピュータ間で分配される。加えて、これらのコンポーネントは、それに記憶される様々なデータ構造を有する様々なコンピュータ読み取り可能媒体から実行される。コンポーネントは、例えば、1つ以上のデータパケット（例えば、信号を通して、ローカルシステム、分散されたシステムにおいて、および／または、別のシステムを有するインターネットのようなネットワークを通して、別のコンポーネントと相互に作用する1つのコンポーネントからのデータ）を有する信号に従って、ローカルおよび／またはリモートプロセスを通して通信する。
【００３４】
本明細書に記述される技術は、符号分割多元接続（CDMA）、時分割多元接続（TDMA）、周波数分割多元接続（FDMA）、直交周波数分割多元接続（OFDMA）、単一キャリア周波数分割多元接続（SC-FDMA）および別のシステムなどの様々な無線通信システムに使用されうる。「システム」および「ネットワーク」という用語は、しばしば交換可能に使用される。CDMAシステムは、ユニバーサル地上波無線アクセス（UTRA）、CDMA 2000などの無線テクノロジーを実施する。UTRAは広帯域CDMA（W-CDMA）およびCDMAの別の変形を含む。CDMA 2000は、IS-2000、IS-95およびIS-856標準をカバーする。TDMAシステムは、汎ヨーロッパデジタル移動通信システム（GSM（登録商標））などの無線テクノロジーを実施する。OFDMAシステムは、次世代UTRA（E-UTRA）、ウルトラモバイルブロードバンド（Ultra Mobile Broadband：UMB）、IEEE 802.11（Wi-Fi）、IEEE 802.16（WiMAX）、IEEE 802.20、フラッシュOFDM（Flash-OFDM）などの無線テクノロジーを実施する。UTRAおよびE-UTRAは万国移動通信システム（UMTS）の一部である。3GPPロングタームエボリューション（Long Term Evolution：LTE）は、ダウンリンク上でOFDMAを、アップリンク上でSC-FDMAを用いるE-UTRAを使用するUMTSの近日リリースである。UTRA、E-UTRA、UMTS、LTE、およびGSMは「第3世代パートナーシッププロジェクト」（3GPP）という名称の団体からの文書に記述される。加えて、CDMA 2000およびUMBは、「第3世代パートナーシッププロジェクト2」（3GPP2）という名称の団体からの文書に記述される。さらに、そのような無線通信システムは、対でない無許可のスペクトル、802.xx無線LAN、BLUETOOTH（登録商標）および任意の別の近距離または遠距離通信技術を多くの場合に使用するピアー・ツー・ピアー（例えば、モバイル・ツー・モバイル）アドホックネットワークシステムをさらに含む。
【００３５】
単一キャリア周波数分割多元接続（SC-FDMA）は、単一キャリア変調および周波数ドメインイコライゼーション（frequency domain equalization）を利用する。SC-FDMAは、類似するパフォーマンス、および、OFDMAシステムのそれらと本質的に同一の全体的な複雑性を有する。SC-FDMA信号は、それ固有の単一キャリア構造のため、より低いピーク対平均電力比（peak-to-average power ratio：PAPR）を有する。例えば、SC-FDMAは、より低いPAPRが、送信電力効率という観点からアクセス端末に大いに利益を与えるアップリンク通信において使用される。従って、SC-FDMAは、3GPPロングタームエボリューション（LTE）または次世代UTRAにおいて、アップリンク多元接続スキームとして実施される。
【００３６】
さらに、様々な実施形態が、アクセス端末と関連して本明細書に記述される。アクセス端末は、また、システム、加入者ユニット、加入者局、移動局、モバイル、遠隔局、リモート端末、モバイルデバイス、ユーザー端末、端末、無線通信デバイス、ユーザーエージェント、ユーザーデバイス、またはユーザー機器（UE）とも呼ばれる。アクセス端末は、携帯電話、コードレス電話、セッション開始プロトコル（SIP）電話、無線ローカルループ（WLL）局、携帯情報端末（PDA）、無線接続機能を有するハンドヘルドデバイス、計算デバイス、または、無線モデムに接続される別の処理デバイスである。さらに、様々な実施形態が基地局と関連して本明細書に記述される。基地局はアクセス端末との通信に利用され、アクセスポイント、ノードB、発展型ノードB（eNodeB、eNB）、またはいくつかの別の用語でも呼ばれる。
【００３７】
さらに、「または」という用語は、排他的な「または」よりはむしろ包括的な「または」を意味するために示される。すなわち、そうではないことが明示されていない限り、またはコンテキストからそうではないことが明らかでない限り、「XはAまたはBを用いる」という表現は、普通の包括的な入替えのいずれかを意味するために示される。つまり、「XはAまたはBを用いる」という表現は、以下の例：「XはAを用いる」、「XはBを用いる」、または、「XはAとBとの両方を用いる」のいずれかによって満たされる。加えて、本出願および添付の請求項に使用される冠詞「a」と「an」は、一般に、そうではないと明確に示されていない限り、または単数形に向けられていることがコンテキストから明らかでない限り、「1つ以上の」を意味すると解釈される。
【００３８】
本明細書に記述される様々な態様または特徴は、標準のプログラミングおよび／またはエンジニアリング技術を使用する方法、装置、または製品として実施される。本明細書に使用されるような「製品（article of manufacture）」という用語は、任意のコンピュータ読み取り可能デバイス、キャリア、または媒体からアクセス可能なコンピュータプログラムを包含することを意図する。例えば、コンピュータ読み取り可能媒体は、磁気記憶デバイス（例えば、ハードディスク、フロッピー（登録商標）ディスク、磁気ストライプなど）、光学ディスク（例えば、コンパクトディスク（CD）、デタルビデオディスク（DVD）など）、スマートカード、およびフラッシュメモリデバイス（例えば、EPROM、カード、スティック、キーデバイスなど）を含むがそれに限定されない。さらに、本明細書に記述される様々な記憶媒体は、情報を記憶するための1つ以上のデバイスおよび／または別の機械読み取り可能媒体を表す。「機械読み取り可能媒体」という用語は、命令および／またはデータを記憶、包含、および／または運搬することが可能な無線チャネル、および、様々な別の媒体を含むがそれに限定されない。
【００３９】
図1を参照すると、無線通信システム100が、本明細書に提示される様々な実施形態に従って示される。システム100は、複数のアンテナグループ（図示されない）を含む基地局102を備える。基地局102は、当業者によって認識されるように、各々が同様に信号送信および受信に関連付けられた複数のコンポーネント（例えば、プロセッサ、変調器、マルチプレクサ、復調器、デマルチプレクサ、アンテナなど）を備える送信機チェーンおよび受信機チェーンをさらに含む。基地局102は、アクセス端末104のような1つ以上のアクセス端末と通信する；しかし、基地局102が、実質的に、アクセス端末またはUE（ユーザー機器）104に類似する任意の数のアクセス端末と通信できることは認識されるべきである。
【００４０】
UEの例は、携帯電話、スマートフォン、ラップトップ、ハンドヘルド通信デバイス、ハンドヘルド計算／エンターテイメントデバイス、衛星ラジオ、全地球測位システム、PDA、および／または無線通信システム100を通して通信するための任意の別の適切なデバイスのいずれか1つでありうる。描写されるように、UE 104は、順方向リンク112を通してUE 104に情報を送信し、逆方向リンク114を通してUE 104から情報を受信する基地局102と通信する。基地局は、同様に、要求されたサービス108をUE 104に提供するために様々なリソース106にアクセスする。異なる態様に従って、リソースは、UEによって訪問されるエリア内のネットワーク、すなわち、VPLMN（訪問者公衆陸上モバイルネットワーク：Visitor Public Land Mobile Network）に属し、または、UE 104のHPLMN（ホーム公衆モバイルネットワークHome Public Land Mobile Network）内に存在する。サービス要求のタイプに基づいて、異なるユーザー／ユーザーまたはユーザー／ネットワークサービスのための適切なリソースが構成される。例えば、リソース106内のFTP（ファイル転送プロトコル：File Transfer Protocol）サーバはFTPサービスを提供する。同様に、HTTP（ハイパテキスト転送プロトコル：Hyper Text Transfer Protocol）サーバは、インターネットサービスを提供し、または、別のオペレータは別のサーバを介してDNSサービスを提供する。加えて、リソース106は、これらのサービス要求から生じる異なるサービスデータフロー（SDF）に対する課金ルールおよびポリシーの実施を容易にする。
【００４１】
システム100は、また、様々なネットワークエレメントの中でデータフローを暗号化するための様々な符号化／暗号化スキームを用いる。ネットワーク内の様々なノードは、データへの異なるレベルのアクセスで構成される。結果として、ネットワーク内の全てのステップで異なるデータフローの各々に対して特定のQoSルールを実施することは難しい。例えば、暗号化チェーンの片方のエンドにあるUE 104および暗号化チェーンのもう片方のエンドにあるリソース106は通信トンネル内でデータパケットを見ることができる。暗号化されている場合、パケットは、それらの間でデータパケットの転送を容易にする基地局102に関連付けられたアクセス機能に対して同じように透明ではない。結果として、正しい課金ポリシーまたは品質の考慮を実施することは、そのような点で難しい。加えて、ネットワーク内の送信エンティティが、通信トンネル内でデータパケットを調べることなくペイロードを転送できる場合、それは、システム100の安全を向上することができる。以下に記述される様々な態様に従って、システム100はデータアクセスを容易にする。それによって、異なるデータフローに対する課金ルールまたはQoSルールなどのフロー固有ルールが、異なるネットワークノードへの様々なフロー内でのデータパケットの透明性に関係なく、トンネルヘッダの簡単な検査を受けて、様々なネットワークノードにおいて一様に適用される。
【００４２】
図2を参照すると、3GPP-LTEシステムの参照アーキテクチャ200が一態様に従って示される。明快さのために、ネットワーク内の様々な機能的／論理的ノードが個々のエンティティとして示されるが、1つの物理ネットワークエレメントがこれらの機能的／論理的ノードを複数実装しうることが認識される。システム200は、異なるゲートウェイを介して、UE 202による様々なサービス204へのアクセスを容易にする。例えば、UE 202は、図において206として共通にラベル付けされる、Wi-Fi、WiMAXなどのトラステッド非3GPP（non-3GPP）IPアクセスまたはアントラステッド非3GPP IPアクセスの1つを介して、インターネットまたは別のオペレータIPサービス204にアクセスする。UE 202は、S2cインターフェース経由で、ユーザープレーンのための2種類のIP-IP（インターネットプロトコル）ゲートウェイ論理機能-サービングゲートウェイおよびパケットデータネットワークゲートウェイ（PDN-GW）-を介してアクセスシステムと通信する。これらのネットワーク機能は、UE 202を受け持つVPLMNのサービングゲートウェイが、トラフィックをUE 202から様々なサービス204に指揮する別のネットワークのPDN-GWに接続できるように、同一または異なる物理ノードにおいて実施される。加えて、サービングGWは、S6aインターフェースを介してHSS（Home Subscriber Server:ホーム加入者サーバ）と通信し、HSSは、同様に、Wx*インターフェースを介して3GPP AAA（認証・認可・アカウンティング）サーバに接続する。3GPP AAAサーバは、また、Wm*、Wa*、Ta*およびS6cインターフェースを介して、それぞれ、ePDG、非3GPPアクセスメカニズム206およびPDN-GWなどの別のネットワークエンティティと通信する。PDN-GWは、S5およびSGiインターフェースを介して、それぞれ、サービングGWおよびIPサービスと通信する。
【００４３】
以上に議論されたように、UE 202は様々なデータフローを生成しうる。いくつかのフローはUE 202で生成されるユーザーデータであり、別のフローは、ネットワークエレメントにさらに転送されるべき、UE 202によって受信されるデータに関係する。例えば、1つのフローはインターネットのブラウジングを容易にし、別のフローはVoIP（Voice over Internet Protocol）サービスを容易にする。それに制限されない例として、同一のソースIPアドレス、同一の宛先IPアドレス、および同一のトランスポートプロトコルを有するIPパケットの単一方向フローはIPフローと呼ばれる。IPフローはカプセル化され、IPトンネルと呼ばれる通信チャネルを介して様々なネットワークをまたいで移送される。加えて、これらのフローの各々は、それらと関連付けされたサービスの料金を加入者に課金するためのQoS考慮またはルールなどの実施されるべき固有ルールを有する。さらなる態様に従って、これらのルールは予め決定され、または、それらは動的に決定される。例えば、QoS考慮は、生成されているデータのタイプ、またはUE 202に関連付けられたサービスプランのタイプに依存する。これらのルールは、PCRF（ポリシーおよび課金ルール機能）によって決定され、図に示されるように、PCRFをトラステッド／アントラステッドネットワークアクセスメカニズム、PDN-GWおよびサービスゲートウェイなどに接続する種々のS7ネットワークインターフェースを介して様々なネットワークエレメントに伝達される。さらなる態様において、PCRFは、S7インターフェースと関連付けられたこれらのネットワークエレメントの各々の中に存在するBBERF（Bearer Binding and Event Reporting Function）（図示されない）にルールを伝達する。IPフローの記述を備えるルールは、全て、UE 202のHPLMNと関連付けられたPCRFで決定される。ここで、IPフローは、フィルタ、フローのソース（例えば、フローが生じるIPアドレス）、フローの宛先、フローで使用されるプロトコル、フロー内のデータの記述、およびデータの処理の方法論などによって識別される。
【００４４】
図に示されるように、モバイルIPv4（MIP）またはデュアルスタックモバイルIPv6（DSMIPv6）がUE 202とPDN-GWとの間の通信に使用される場合、データパケットの通信のためのトンネルがそれらの間に確立される。このトンネルは、図に示されるように、非3GPPアクセスメカニズムを通して続く。特に、トラステッド非3GPPアクセスメカニズムまたはアントラステッド非3GPPアクセスメカニズムが使用されるか否かに依存して、S7aインターフェースまたは発展型パケットデータゲートウェイ（Evolved Packet Data Gateway：ePDG）を通るS7bインターフェースのうちの1つがデータパケットの通信に使用される。従って、アクセスメカニズムは、トンネル内のデータパケットのタイプを検出し、データパケットに適用されるべき適切な処理を受信するためにPCRFと協議する。上に述べられたように、システム200は、アクセスメカニズムが、パケットヘッダの簡単な検査によって、パケットに対して適切なQoS処理を識別する場合に向上される。さらに、トンネル内のデータフローが暗号化される場合、それらはアクセスメカニズム内のBBERFに対して透明ではない。それゆえに、アクセスメカニズムは、フロー固有ルール（例えば、正しいQoS処理）をトンネル内のデータパケットに実施するために、PCRFと協力することができない。
【００４５】
さらなる態様において、ペイロードがUE 202からホームエージェント（図示されない）にトンネリングされる時はいつでも、識別子がPDN-GWによってIPフローに割り当てられる。これは、データパケットに関連付けられたヘッダ内で、ネットワークエレメントの少なくともサブセットに伝達される。例えば、これは、PCRFが暗号化されたパケットに対して用いられるべき適切なフロー固有ルールを決定し、そのようなルールを非3GPPアクセスメカニズムに伝達することを容易にする。アクセスメカニズムは、フロー識別子を介して、ルールを固有IPフローにマッチングさせ、それによって通信システム200のなめらかな動作を容易にする。暗号化セッションの終了を受けて、システム200は、S7インターフェースを介してポリシールールの伝達に戻る。ここで、アクセスメカニズムは、フロー内のデータパケットのサンプリングに基づいてPCRFと協議する。従って、アクセスメカニズムにIPフロー内のデータパケットの性質の知識を持つように要求する方法論を実施する代わりに、様々な態様は、ペイロードヘッダ内のトランスポート層ポート番号（UDPトンネリングが使用される時）と同様に、ソースアドレスおよびDSCP（Differentiated Services Code Point）とともにIpv6フィールドのタプルを含むラベル、ポインタ、または識別子の形態でIPフローに関する識別情報を提供することに関する。これは、フロー内のデータパケットの性質が知られていない間であっても、正しいフロー固有ルールの実施を容易にする。
【００４６】
さらなる態様において、ソースアドレスが、固有データフローを識別するために、フローIDと共に使用される。従って、所与のソースについて、フローIDとソースアドレスとの組み合わせは一意的である。これは、UE 202が、異なるソースまたは異なるPDN-GWから、同一のフローIDを有するフローを受信することを容易にする。例えば、UE 202は、ソースアドレスとフローIDとの組み合わせが一意的であることから、インターネットサービスアクセスまたはVOIPサービスへのアクセスから発生する同一のフローIDを有するフローを受信することができる。
【００４７】
別の態様において、フロー識別情報は、UE 202が、アップリンク通信上で適切なデータパケットに対して正しいポリシー／ルールを使用したか否かを検証するために利用される。上に議論されたように、フロー内のデータパケットは、アクセスメカニズム206に対して透明ではない。それゆえに、PDN-GWは、それが適切なアクセスメカニズム206から受信したフローに正しい処置が適応されたか否かを識別することはできるが、同じことが、UE 202とアクセスメカニズム206との間のフローに対して確かであるか否かを決定することはできない。例えば、UEが、アクセスメカニズム206と通信する間に、誤ったQoSカテゴリをデータパケットに適用する可能性がある。しかし、これは、本明細書において詳述されるように、フロー識別子の使用によって緩和される。UE 202は、PDN-GWからフロー識別情報を受信し、あるいは、UE 202は、特定のモバイル発生データフローに対してフローIDを生成することができる。フローIDは、UE 202によってデータパケットを適切なQoSパイプに配置するために使用される。PDN-GWがアクセスメカニズム206を介してUE 202からラベル付けされたフローを受信する時、それは、UE 202が正しいQoSルールをデータフローに適用したことを検証するためにフローIDを用いる。さらなる態様において、フローIDは、固有データフローをラベル付けするための、外IPヘッダ内の8ビットまたは16ビット値である。
【００４８】
別の態様は、アクセスメカニズム206またはサービングゲートウェイによってフロー識別情報をアップリンクデータパケットに含めることに関する。この態様において、UE 202は、特定のルールに従って、1つ以上のQoSパイプを通してアクセスメカニズム206／サービングゲートウェイにデータフローを送信する。アクセスメカニズム206／サービングGWは、データフローに対してUE 202によって利用されるそれぞれのQoSパイプに関連付けられた特定のフロー識別情報に関する情報を有する（それがポリシーサーバから受信したポリシーに基づいて）。アクセスメカニズム206は、次に、フローラベルなどのフロー識別情報をデータパケットの外ヘッダに追加し、パケットをPDN-GWまたはホームエージェントに送信する。PDN-GWは、フロー識別情報と共にデータフローを受信すると、アクセスメカニズム206／サービスゲートウェイから受信されたフロー識別情報を、PCRFによって決定および伝達されたデータフローのポリシーに関連付けられたフロー識別情報と比較する。このように、PDN-GWは、PCRFによって決定されたフロー固有ポリシーに従って、データフローがUE 202によってアクセスメカニズム206／サービングGWに送信されたことを検証する。従って、データフローをラベル付けまたは識別することは、様々なネットワークエレメントが課金／QoSルールを一意的に適用することを容易にするだけではなく、それは、また、UEが正しいルールで各データフローを処理したことを決定するための検証メカニズムを提供する。
【００４９】
図3aは、通信システム内でのトンネリングサポートを容易にするために使用されうるアクセスネットワークエレメントおよび対応するUEの概略図300である。上に議論されたように、PCRF、PDN-GW、サービングGW（サービングゲートウェイ）、または、BBERFなどのネットワーク内での暗号化サポートを容易にする様々な機能的／論理的エンティティは、ネットワークの同一または異なる物理エレメントによって実施される。従って、PDN-GWおよび／またはサービングGWを実施するネットワーク内の物理エレメント302は、送信コンポーネント308および受信コンポーネント310に加えて、フロー識別情報生成コンポーネント306を備える。受信コンポーネント310は1つ以上のデータフローを受信し、または別の態様において、受信コンポーネント310は、ポリシーサーバなどの別のネットワークエレメントから、1つ以上のデータが受信されるべきであることを示すインジケーションを受信する。そのような通信の受信を受けて、PDN-GW 302に関連付けられたフローID生成コンポーネント306は、IPフローの各々に対して、ラベル／ポインタ／フローIDを生成するために用いられる。特定の態様に従って、フロー識別情報生成コンポーネント306は、UE 304およびPDN-GW 302が特定のフローに対する暗号化の開始を決定する時に、データフローのラベル付けを開始する。簡潔さのために、UE 304は単一のPDN-GW 302と通信しているように示されるが、UE 304は、本明細書で詳述されるような異なるタイプのサービスにアクセスするために複数のPDN-GWと通信することができる。この場合、フロー識別情報を割り当てるHA（ホームエージェント）アドレスの組み合わせが、UE 304と複数のPDN-GWとを関連付ける複数のフローの各々を一意的に識別するために、フロー識別情報に加えて使用される。送信コンポーネント308は、生成されたフロー識別情報に関連付けられたフローに対して実施されるべきQoSルールを決定するPCRFを実行するポリシーサーバ（図示されない）に、生成されたフロー識別情報を伝達するために用いられる。ポリシーサーバは、次に、実施のために以前に詳述されたようなトラステッド／アントラステッド3GPPメカニズムなどのアクセスメカニズムに、フロー識別情報をQoSルールと共に伝達する。
【００５０】
UE 304は、トランシーバコンポーネント314を介してアップリンク上でネットワークにデータを送信する一方で、ダウンリンク上でネットワークから、データフローを関連フロー識別情報と共に受信する。UE 304は、データを受信するため、またはネットワークにデータを送信するためにトラステッドまたはアントラステッド非3GPPアクセスメカニズムの1つを用いる。本明細書に詳述されるように、アクセスメカニズムは、UE 304からのデータをアップリンク上で適切なPDN-GWに伝達する。PDN-GWは、フロー識別情報と共にUE 304からフローを受信する。ここで、フロー識別情報は、UE 304がアップリンク送信のために正しいポリシーを実施したことを検証するために用いられる。例えば、フロー識別情報は、特定のフローに対するQoSルールを検証するために使用される。それはアップリンク上のデータパケットが正しいQoSパイプに割り当てられたことが検証される。フローIDとQoSカテゴリなどの適切なフローポリシーとの間のマッチングは、データフローと共にフロー識別情報を含むマッチングコンポーネント312を介してUE 304において容易にされる。このように、フロー識別情報メカニズムは、UE 304上に課金／QoSチェックを確立するためにアップリンク上で用いられる。
【００５１】
図3bは、通信トンネルにおいてフロー識別情報と共に送信されているIPペイロードの概略図である。ペイロードがUEからホームエージェントまたはその逆に送信される時、IPトンネルを通るネイティブルーティングパス（native routing path）が中間ネットワークを跨いで確立される。IPトンネルは、しばしば、例えばIpv6実施とIpv4実施とを接続するために使用される。IPトンネリングにおいて、各IPペイロード352は、内IPヘッダ（inner IP header）354内のもともとのソースおよび受信者に関する情報で構成され、外IPヘッダ358は、ソースおよびトンネルの「終点」を識別する宛先情報を備える。ペイロードを転送するための別の中間のトンネルヘッダ356は、例えば、使用されている通信プロトコルなどに基づいて随意的に含まれる。トンネルの終点において、トランジットネットワークから終点を横切るパケットは、トンネリングプロトコルに使用されるトランジットヘッダおよび終端部から分離され、そして、固有プロトコルフォーマットに変換され、スタックに注入される。さらなる詳細な態様において、フローラベル、ポインタ、またはフローIDの形態のフロー識別情報は、示されるように外IPヘッダ358に含まれる。これは、PCRF、および結局はBBERFが、外ヘッダ358を検査することによって、トンネルフローを識別することを可能にする。
【００５２】
図4は、データの暗号化を容易にする通信システムの様々なエンティティ間で交換されるシグナリングを示す。図からわかるように、UEおよび対応するホームエージェント（例えば、PDN-GW内でのIP終端点）は、初めに、メッセージ402および404を介して、そこの間で交換されるデータフローの暗号化を設定する。ここで、TSiおよびTSr選択子は、暗号化される必要のある5つのタプル（領域およびワイルドカードを含む）を指す。ホームエージェント機能は、データ暗号化の開始を受けて、フローに関係するフローIDを割り当てる。HAがフローに対して暗号化を開始する時、それはフローIDを生成し、フロー記述（flow description）、HAアドレス、およびフローIDをPCRFに送信する。これは、406で運ばれるIP-CAN（IP Connectivity Access Network）セッション変更を介して、HAによってPCRFに伝達される。特に、IP-CANセッション変更メッセージは、IP 5タプル、HAによって割り当てられたフローID、およびHAアドレスを備える。一般に、IP 5タプルは、ソースIPアドレス、宛先IPアドレス、ソースポート番号、宛先ポート番号、およびプロトコルIDを備える。応答として、HAは、408で、IP-CANセッション変更のACK（肯定応答）をPCRFから受信する。PCRFは、フローIDとソースアドレス（HAアドレス）との組み合わせがダウンリンクパケットに対するSDF（同期データフロー）識別を実行するために使用されるため、フローIDおよびHAアドレス（フローIDがソースアドレスに対して一意的であるので）と共に、フローに関連付けられたQoSルールをBBERFに提供する。従って、PCRFは、フローID、HAアドレス、および関連QoSルールを備えるメッセージ410を、UEに関連付けられたBBERFに送信する。様々な態様に従って、BBERFは、S7インターフェースが終了する位置で実施される。例えば、UEアクセスに基づいて、BBERFは、異なる態様に従ってePDGまたはトラステッド非3GPPアクセスネットワークで実施される。応答として、PCRFは、QoSルールに対するACKメッセージ412を受信する。
【００５３】
図5は、さらなる態様に従って、データの暗号化を容易にする通信システムの様々なエンティティ間で交換されるシグナリング500を示す。様々な理由、例えば、アントラステッドからトラステッドアクセスに移動するUEのため、UEまたはHAは、以前に保護されたフローの暗号化を非アクティブ化する。これは、消去ペイロードを用いた情報の交換を介して達成される。よって、信号502および504は、消去ペイロードを用いて、UEとHAとの間で交換される。これは、フローID、さらには506を介してフローIDと共に伝達されたHAアドレスを除去するIP-CANセッション変更に帰着する。メッセージ508は、PCRFによって、IP-CANセッション変更のACKを信号送信する。従って、PCRFは、510内で、フローIDの代わりに5つのタプルのみを使用して、QoSルール規定をBBERFに提供する。QoSルールの肯定応答（ACK）512が、510に応じてBBERFによって送信される。従って、本態様は、QoSルールの伝達を容易にするために、5つのタプルを用いることによってフローIDメカニズムをスイッチオフすることに関する。これは、ネットワーク内でのフローIDの余剰なシグナリングを緩和する。このように、必要性に基づいて、フローIDは、様々なネットワークエンティティへのデータパケットを識別するために動的に用いられる。
【００５４】
図6−10を参照すると、無線通信環境において、フローラベルの使用を介してPCC向上に関連する方法論が示されている。説明の簡潔さのために、方法論は一連の動作として提示および記述されるが、1つ以上の実施形態に従って、いくつかの動作は、本明細書で提示および記述されるそれらと異なる順序で、および／または別の動作と同時に起こりうるため、その方法論が動作の順序によって限定されないことは理解および認識されるべきである。例えば、当業者は、方法論が、代替として、状態ダイアグラムのように一連の相関状態またはイベントとして表されることを理解および認識するであろう。さらに、全ての示された動作が、1つ以上の実施形態に従って方法論を実施するために要求されるわけではない。
【００５５】
図6を参照すると、異なるネットワークエンティティにQoSルールを一意的に適用するための、フロー情報の生成を容易にする方法論600が示される。方法は602で開始し、1つ以上のフローが別のネットワークエレメントに伝達されるために受信され、または1つ以上のフローが受信されるべきことを示すインジケーションが別のネットワークエレメントから受信される。例えば、受信されたフローはサービス要求などに対する、サーバからUEへの制御情報またはデータを備える返答である。604において、受信されたデータフローの各々は識別され、識別されたデータフローの各々に対して、606で示されるように、フローID、フローラベル、またはポインタの形態の識別情報が生成される。一態様において、フローIDは、データフローの外IPヘッダにおいて伝達される8ビットまたは16ビット値である。さらなる態様は、ソースアドレスとフローIDとの組み合わせが特定のソースに関連付けられた各フローに対して一意的であるように、各データフローに対してフローIDとして表されるフロー識別情報を生成することに関する。生成されたフロー識別情報は、608で示されるように、適切なポリシーとの関連付けのためにPCRFに送信され、方法はその後、終了ブロックで終了する。
【００５６】
図7は、別の態様に従って、通信システムにおいてトンネリングを容易にする方法論700を示すフローチャートである。方法は702で開始し、1つ以上のパケットフローと、1つ以上のパケットフローに関連付けられたフローID、フローラベル、またはポインタなどの関連フロー識別情報とが受信される。加えて、フローIDのためのHAアドレスが受信され、HAアドレスおよびフローIDの組み合わせは各フローに対して一意的である。704において、フロー識別情報は、関連データフローに対する課金ルールおよび／またはQoSルールのようなポリシーを識別するために使用される。PCCルールは予め定義され、または、IP-CANセッションの確立時、およびそのライフタイムの間に動的に供給される。識別されたポリシーは、706で示されるように、受信されたフロー識別情報に関連付けられたデータフローと共に、適用のため、アクセスメカニズムに送信される。手順は最終的に終了ブロックで終了する。
【００５７】
図8は、データのトンネリングを容易にするために、ポリシーおよび課金制御（PCC）の向上を容易にするための方法論800を示すフローチャートである。方法は802で開始し、フロー識別情報および関連PCCルールが実施のためにデータフローと共に受信される。804において、受信されたルールは、データフローに対して実施され、データパケットは、ルール（例えば、このルールは、806で示されるように、適切なQoSパイプにおいてデータパケットの送信を容易にするQoSルールである）に従って送信される。方法は最終的に終了ブロックで終了する。
【００５８】
図9aに移り、様々なデータフローが正しいポリシーで構成されるか否かの決定を容易にする方法論900が示される。以前に議論されたように、トラフィックがDSMIPv6トンネル内で暗号化されると、BBERFは内ヘッダの可視性を有さない。BBERFはSDFを検出することができず、これにより、QoSルールなどの各ポリシーを適用することができない。暗号化されたフローを識別し、本明細書に記述されるそれらのフローに対する正しいルールをBBERFに提供するためのメカニズムは、また、UEが、例えば、データパケットを送信するために正しいQoSパイプを用いる適切なポリシーを実施したか否かを検証するために用いられる。従って、902において、1つ以上のパケットフローが識別され、生成されたパケットに対する適切なフロー識別情報が904で検索される。これらのフローに用いられるべきQoSパイプなどの適切なポリシーは、906で示されるように識別される。パケットフローに対するフローIDなどの、各パケットについての識別情報は、908に示されるように外ヘッダに含まれる。パケットは、最終的に、910で示されるように送信される。フローIDを外ヘッダに含むことは、全てのネットワークエレメントによる適切な課金／QoSルールの識別を容易にする。これは、UEが異なるパケットフローに対して適切にルールを用いたことの検証を容易にする。
【００５９】
図9bを参照すると、別の態様に従って、様々なデータフローが正しいポリシーで構成されるか否かの決定を容易にする方法論950が示される。例えば、データフローが、フロー識別情報なしに、UEから特定のQoSパイプを介して、サービングGWのようなアクセスメカニズムで受信され、ホームエージェントに転送される場合、ホームエージェントは、UEとアクセスメカニズムとの間の通信がPCRFのようなポリシーコンポーネントによって決定されたルールに従って実行されたか否かを決定することができない。従って、ここで詳述されるように、どのフローが送信されたかに従ってHAに関するアクセスメカニズムがルールの検証を容易にできる場合、システムのセキュリティを高めることができる。方法論は952で開始し、特定のルールに従って送信される1つ以上のフローが、アクセスメカニズムで受信される。さらなる態様に従って、フローは暗号化される。954において、それぞれのフロー識別情報がフローに追加されるか否かが決定される。“はい”の場合、プロセスは958に分岐する。そこで、フローは、特定のルールがポリシーコンポーネントによって決定されたパケットフローに対するルールであったことを検証することを容易にするために、フロー識別情報と共にHAに転送される。954において、フロー識別情報がフローに追加されないと決定されると、アクセスメカニズムで知られているような特定のルールに関連付けられたフロー識別情報が956においてフローに追加され、その後、そのフローは958で示されるように送信される。手順は最終的に終了ブロックで終了する。
【００６０】
図10は、一態様に従って、動的なフローIDの生成の方法論を詳述するフローチャートである。方法は1002で開始し、UEのアクセスモダリティが監視される。上で議論されたように、UEは、トラステッド非3GPPアクセスまたはアントラステッド非3GPPアクセスなどの様々なモダリティを介して所望のサービスにアクセスする。加えて、UEのアクセス手段も、また、動的に変化する。サービスへのUEアクセスのそのような動的な変化が検出される。例えば、UEが、1004で示されるように、トラステッドネットワークからアントラステッドアクセスモダリティに移動する場合、データパケットは暗号化される。PDNGWまたはUEのいずれかが、1006で示されるようにパケットを暗号化する。結果として、いくつかのネットワークエレメントは、フロー内のパケットが適切なポリシーを適用することに気付くことができない。従って、ポインタまたはフローIDなどのフロー識別情報が、1008で示されるように、フローをラベル付けするために生成される。1010において、フロー識別情報は、適切なQoS処置をパケットに実施する必要があるネットワーク内のエレメントに送信される。このように、フロー識別情報は、正しいポリシーをパケットフローに実施するために、アクセスモダリティの変化を受けて動的に生成される。
【００６１】
図11を参照すると、無線通信システム1100が、本明細書に提示される様々な実施形態に従って示される。システム1100は、複数のアンテナグループを含む基地局1102を備える。例えば、1つのアンテナグループは、アンテナ1104および1106を含み、別のグループはアンテナ1108および1110を備え、さらなるグループはアンテナ1112および1114を含む。二つのアンテナが各アンテナグループに対して示される；しかし、より多くの、またはより少ないアンテナが各グループに対して用いられることができる。加えて、基地局1102は、当業者によって認識されるように、各々が同様に信号送信および受信に関連付けられた複数のコンポーネント（例えば、プロセッサ、変調器、マルチプレクサ、復調器、デマルチプレクサ、アンテナなど）を備える送信機チェーンおよび受信機チェーンを含む。
【００６２】
基地局1102は、アクセス端末1116およびアクセス端末1122などの1つ以上のアクセス端末と通信する；しかし、基地局1102が、実質的に、アクセス端末1116おとび1122に類似する任意の数のアクセス端末と通信できることは認識されるべきである。アクセス端末1116および1122は、例えば、携帯電話、スマートフォン、ラップトップ、ハンドヘルド通信デバイス、ハンドヘルド計算デバイス、衛星無線、全地球測位システム、PDA、および／または、無線通信システム1100を通して通信するための任意の別の適切なデバイスである。描写されるように、アクセス端末1116はアンテナ1112およびアンテナ1114と通信し、アンテナ1112および1114は、順方向リンク1118を通して情報をアクセス端末1116に送信し、逆方向リンク1120を通して情報をアクセス端末1116から受信する。さらに、アクセス端末1122は、アンテナ1104および1106と通信し、アンテナ1104および1106は、順方向リンク1124を通して情報をアクセス端末1122に送信し、逆方向リンク1126を通してアクセス端末1122から情報を受信する。例えば、周波数分割複信（FDD）システムにおいて、順方向リンク1118は、逆方向リンク1120によって使用されるそれとは異なる周波数帯域を利用し、順方向リンク1124は、逆方向リンク1126によって用いられるそれとは異なる周波数帯域を利用する。さらに、時分割複信（TDD）システムにおいて、順方向リンク1118および逆方向リンク1120は共通の周波数帯域を利用し、順方向リンク1124および逆方向リンク1126は共通の周波数帯域を利用する。
【００６３】
それらが通信するように設計されるアンテナの各グループおよび／またはエリアは、基地局1102のセクタと呼ばれる。例えば、アンテナグループは、基地局1102によってカバーされるエリアのセクタにおいて、アクセス端末と通信するように設計される。順方向リンク1118および1124上の通信において、基地局1102の送信アンテナは、アクセス端末1116および1122に対する順方向リンク1118および1124の信号対雑音比を改善するために、ビームフォーミングを利用する。また、基地局1102が、関連カバレッジ全体にランダムに分散されたアクセス端末1116および1122に送信するためにビームフォーミングを利用する間、隣接セル内のアクセス端末は、単一のアンテナを通して全てのそのアクセス端末に送信する基地局と比較するとより少ない干渉を受ける。
【００６４】
図12は、無線通信システム1200の別の例を示す。無線通信システム1200は、簡潔のために、1つの基地局1210および1つのアクセス端末1250を描写する。しかし、システム1200が、2つ以上の基地局および／または2つ以上のアクセス端末を含むことは認識されるべきである。ここで、追加の基地局および／またはアクセス端末は、実質的に、以下に記述される例示的な基地局1210およびアクセス端末1250と類似し、または異なる。加えて、基地局1210および／またはアクセス端末1250が、それら間の無線通信を容易にするために、本明細書に記述されるシステム（図1−3および13）および／または方法（図6−10）を用いることは認識されるべきである。
【００６５】
基地局1210において、多くのデータストリームのためのトラフィックデータがデータソース1212から送信（TX）データプロセッサ1214に提供される。一例に従って、各データストリームはそれぞれのアンテナを通して送信される。TXデータプロセッサ1214は、符号化されたデータを提供するために、そのデータストリームのために選択される特定の符号化スキームに基づいて、トラフィックデータストリームを初期化、符号化、インターリーブ（interleave）する。
【００６６】
各データストリームに対する符号化されたデータは、直交周波数分割多重（OFDM）技術を使用して、パイロットデータと多重化される。さらに、または、あるいは、パイロットシンボルは、周波数分割多重（FDM）、時分割多重（TDM）、または符号分割多重（CDM）でありうる。パイロットデータは、典型的に、既知の方法で処理される既知のデータパターンであり、チャネル応答を推定するためにアクセス端末1250で使用される。各データストリームに対する多重化されたパイロットおよび符号化されたデータは、変調シンボルを提供するために、そのデータストリームに対して選択された特定の変調スキーム（例えば、二値位相偏移変調（binary phase-shift keying：BPSK）、直交位相偏移変調（quadrature phase-shift keying：QPSK）、M値位相偏移変調（M-phase-shift keying：M-PSK）、M値直交振幅変調（M-quadrature amplitude modulation：M-QAM）など）に基づいて、変調（例えば、シンボルマップ）される。各データストリームに対するデータレート、符号化、および変調は、プロセッサ1230によって実行または提供される命令によって決定される。
【００６７】
データストリームに対する変調シンボルは、その変調シンボル（例えば、OFDMについての）をさらに処理するTX MIMOプロセッサ1220に提供される。TX MIMOプロセッサ1220は、次に、NT個の送信機（TMTR）1222a〜1222tにNT個の変調シンボルストリームを提供する。様々な実施形態において、TX MIMOプロセッサ1220は、データストリームのシンボル、および、シンボルが送信されているアンテナにビームフォーミング重みを適用する。
【００６８】
各送信機1222は、1つ以上のアナログ信号を提供するために、それぞれのシンボルストリームを受信および処理し、MIMOチャネルを通る送信に適した変調信号を提供するために、アナログ信号をさらに調整（例えば、振幅、フィルタ、およびアップコンバート（upconvert））する。さらに、送信器1222aから1222tからのNT個の変調信号は、それぞれ、NT個のアンテナ1224aから1224tから送信される。
【００６９】
アクセス端末1250において、送信された変調信号はNR個のアンテナ1252a〜1252tによって受信され、各アンテナ1252からの受信信号は、それぞれ、受信機（RCVR）1254a〜1254rに提供される。各受信機1254は、それぞれの信号を調整（例えば、フィルタ、振幅、ダウンコンバート（downconvert））し、サンプルを提供するために調整された信号をデジタル化し、対応する「受信された」シンボルストリームを提供するためにサンプルをさらに処理する。
【００７０】
RXデータプロセッサ1260は、NT個の「検出された」シンボルストリームを提供するために、特定の受信機処理技法に基づいて、NR個の受信機1254からNR個の受信シンボルストリームを受信および処理する。RXデータプロセッサ1260は、データストリームのためのトラフィックデータを回復するために、検出されたシンボルストリームの各々を復調、デインターリーブ、および復号する。RXデータプロセッサ1260による処理は、基地局1210でTX MIMOプロセッサ1220およびTXデータプロセッサ1214によって実行されるそれに相補的である。
【００７１】
プロセッサ1270は、どの利用可能な技術を上に議論されたように利用するかを周期的に決定する。さらに、プロセッサ1270は、行列インデックス部およびランク値部を備える逆方向リンクメッセージを公式化（formulate）する。
【００７２】
逆方向リンクメッセージは、通信リンクおよび／または受信されたデータストリームに関する様々なタイプの情報を備える。逆方向リンクメッセージは、TXデータプロセッサ1238（それは、また、データソース1236から多くのデータストリームに対するトラフィックデータを受信する）によって処理され、変調器1280によって変調され、送信機1254a〜1254rによって調整され、基地局1210に送信される。
【００７３】
基地局1210において、アクセス端末1250からの変調された信号はアンテナ1224によって受信され、受信機1222によって調整され、復調器1240によって復調され、アクセス端末1250によって送信された逆方向リンクメッセージを抽出するために、RXデータプロセッサ1242によって処理される。さらに、プロセッサ1230は、ビームフォーミング重みを決定するためにどのプリコーディング行列が使用されるかを決定するために、抽出されたメッセージを処理する。
【００７４】
プロセッサ1230および1270は、基地局1210およびアクセス端末1250で、それぞれ、動作を指揮（例えば、制御、協調、管理など）する。それぞれのプロセッサ1230および1270は、プログラムコードおよびデータを記憶するメモリ1232および1272に関連付けられる。プロセッサ1230および1270は、また、アップリンクおよびダウンリンクに対して、それぞれ、周波数およびインパルス応答推定を引き出すために、計算を実行する。
【００７５】
一態様において、論理チャネルは制御チャネルおよびトラフィックチャネルに分類される。論理制御チャネルは、ブロードキャスティングシステム制御情報のためのDLチャネルであるブロードキャスト制御チャネル（BCCH）を含む。さらに、論理制御チャネルは、ページング情報を転送するDLチャネルであるページング制御チャネル（PCCH）を含む。さらに、論理制御チャネルは、MBMS（Multimedia Broadcast and Multicast Service）スケジューリングおよび1つ以上のMTCHについての制御情報を送信するために使用されるポイント・ツー・マルチポイントDLチャネルであるマルチキャスト制御チャネル（MCCH）を備える。一般に、無線リソース制御（RRC）接続を確立した後、MBMS（例えば、古いMCCH+MSCH）を受信するこのチャネルはUEによってのみ使用される。加えて、論理制御チャネルは、専用制御情報を送信し、RRC接続を有するUEによって使用されるポイント・ツー・ポイント二方向チャネルである専用制御チャネル（DCCH）を含む。一態様において、論理トラフィックチャネルは、ユーザー情報の伝送のための、1つのUE専用のポイント・ツー・ポイント二方向チャネルである専用トラフィックチャネル（DTCH）を備える。また、論理トラフィックチャネルは、トラフィックデータを送信するためのポイント・ツー・マルチポイントDLチャネルのためのマルチキャストトラフィックチャネル（MTCH）を含む。
【００７６】
一態様において、トランスポートチャネルはDLおよびULに分類される。DLトランスポートチャネルは、ブロードキャストチャネル（BCH）、ダウンリンク共有データチャネル（DL-SDCH）、およびページングチャネル（PCH）を備える。PCHは、全てのセル上をブロードキャストされることによって、および、別の制御／トラフィックチャネルに使用される物理層（PHY）リソースにマップされることによって、UE電力セービングをサポートする（例えば、不連続受信（DRX）周期がネットワークによってUEに示される）。ULトランスポートチャネルは、ランダムアクセスチャネル（RACH）、要求チャネル（REQCH）、アップリンク共有データチャネル（UL-SDCH）、および複数のPHYチャネルを備える。
【００７７】
PHYチャネルは、DLチャネルおよびULチャネルのセットを含む。例えば、DL PHYチャネルは：共通パイロットチャネル（CPICH）；同期チャネル（SCH）；共通制御チャネル（CCCH）；共有DL制御チャネル（SDCCH）；マルチキャスト制御チャネル（MCCH）；共有UL割り当てチャネル（SUACH）；肯定応答チャネル（ACKCH）；DL物理共有データチャネル（DL-PSDCH）；UL電力制御チャネル（UPCCH）；ページングインジケータチャネル（PICH）；および／またはロードインジケータチャネル（LICH）を含む。さらなる例として、UL PHYチャネルは：物理ランダムアクセスチャネル（PRACH）；チャネル品質インジケータチャネル（CQICH）；肯定応答チャネル（ACKCH）；アンテナサブセットインジケータチャネル（ASICH）；共有要求チャネル（SREQCH）；UL物理共有データチャネル（UL-PSDCH）；および／または広帯域パイロットチャネル（BPICH）を含む。
【００７８】
本明細書に記述される実施形態が、ハードウェア、ソフトウェア、ファームウェア、ミドルウェア、マイクロコード、またはそれらの組み合わせに実施されうることは理解されるべきである。ハードウェアでの実施の場合、処理ユニットは、1つ以上の特定用途向けIC（ASIC）、デジタル信号プロセッサ（DSP）、デジタル信号処理デバイス（DSPD）、プログラマブル論理デバイス（PLD）、書替え可能ゲートアレイ（FPGA）、プロセッサ、コントローラ、マイクロコントローラ、マイクロプロセッサ、本明細書に記述された機能を実行するよう設計された別の電子ユニット、またはそれらの組み合わせ内で実施される。
【００７９】
実施形態が、ソフトウェア、ファームウェア、ミドルウェアまたはマイクロコード、プログラムコードまたはコードセグメントに実施された場合、それらは、記憶コンポーネントのような機械読み取り可能媒体に記憶される。コードセグメントは、手順、機能、サブプログラム、プログラム、ルーティン、サブルーティン、モジュール、ソフトウェアパッケージ、クラス、もしくは、命令、データ構造またはプログラム文の任意の組み合わせを表す。コードセグメントは、情報、データ、引数、パラメータ、またはメモリコンテンツを送信および／または受信することによって、別のコードセグメントまたはハードウェア回路に結合される。情報、引数、パラメータ、データなどは、メモリ共有、メッセージパッシング、トークンパッシング、ネットワーク送信など含む任意の適切な手段を使用して送信、転送、または伝送される。
【００８０】
ソフトウェアでの実施については、本明細書に記述された技術は、本明細書に記述された機能を実行するモジュール（例えば、手段、機能など）を用いて実施される。ソフトウェアコードは、メモリユニットに記憶され、プロセッサによって実行される。メモリユニットは、プロセッサ内またはプロセッサの外で実施される。その場合、それは当技術分野で知られる様々な手段を介してプロセッサに通信的に結合される。
【００８１】
図13を参照すると、無線通信環境において、暗号化を用いることを可能にするシステム1300が示される。例えば、システム1300は、ネットワークエレメント内に存在する。システム1300が、プロセッサ、ソフトウェア、またはそれらの組み合わせ（例えばファームウェア）によって実施される機能を表す機能性ブロックを含むとして表されることは認識されるべきである。システム1300は、関係して機能する電気コンポーネントの論理グルーピング1302を含む。例えば、論理グルーピング1302は、1つ以上のデータフローを受信するための電気コンポーネント1304を含む。異なる態様に従って、これらのデータフローは、サービス要求に応答して、または、ページング信号の一部として、アクセスネットワーク上で発生している。さらに、論理グルーピング1302は、異なるフローに対するフローIDまたはフローラベルのようなフロー識別情報を発生するための電気コンポーネント1306、およびフロー識別情報を送信するための電気コンポーネント1308を含む。加えて、システム1300は、電気コンポーネント1304、1306、および1308に関連付けられた機能を実行するための命令を保存するメモリ1310を含む。メモリ1310の外部にあるとして示されるが、電気コンポーネント1304、1306、または1308の1つ以上がメモリ1310内に存在しうることは理解されるべきである。
【００８２】
図14は、通信システム内での様々なパケットフローに対する適切なルールの実施を可能にする別の例示的なシステム1400である。例えば、システム1400はUE内に存在する。システム1400は、プロセッサ、ソフトウェア、またはそれらの組み合わせ（例えば、ファームウェア）によって実行される機能を表す機能性ブロックを含むとして表されることは認識されるべきである。システム1400は、関係して機能する電気コンポーネントの論理グルーピング1402を含む。例えば、論理グループ1402は、フローID情報を受信するための電気コンポーネント1404を含む。加えて、データパケットのフローIDを適切なポリシールール（課金ルール／QoSルールなどの）にマッチングさせるための電気コンポーネント1406がまた、グルーピング1402内に含まれる。これは、正しいQoSパイプ内でデータパケットが送信されることを容易にする。論理グルーピングは、また、それぞれのルールに従ってデータパケットを送信するための電気送信機コンポーネント1408を含む。加えて、システム1400は、電気コンポーネント1404、1406、および1408と関連付けられた機能を実行するための命令を保存するメモリ1410を含む。メモリ1410の外側にあるとして示されるが、電気コンポーネント1404、1406、または1408の1つ以上がメモリ1410内に存在しうることは理解されるべきである。
【００８３】
図15は、通信システム内での様々なパケットフローに対する適切なルールの実施を可能にする別の例示的なシステム1500である。例えば、システム1400はネットワークエレメント内に存在する。システム1500が、プロセッサ、ソフトウェア、またはそれらの組み合わせ（例えば、ファームウェア）によって実施される機能を表す機能性ブロックを含むとして表されることは認識されるべきである。システム1500は、関係して機能する電気コンポーネントの論理グルーピング1502を含む。例えば、論理グループ1502は、受信されたデータフローについてのフロー識別情報を検索するための電気コンポーネント1504を含む。例えば、データフローは、アップリンク上でUEから受信され、電気コンポーネント1504は、一態様に従って、データパケットの外ヘッダに追加されるべきポインタ、フローIDまたはフローラベルなどのフロー識別情報を検索する。それに追加されたフロー識別情報を有するデータフローは、次に、データフローと共にフロー識別情報を送信するための電気コンポーネント1506を介して送信される。これは、データフローが、もともと、正しいルールに従ってUEによって送信されたことを検証することを容易にする。加えて、システム1500は、電気コンポーネント1504および1506に関連付けられた機能を実行するための命令を保存するメモリ1508を含む。メモリ1508の外側にあるとして示されるが、電気コンポーネント1504または1506の1つ以上がメモリ1508内に存在しうることは理解されるべきである。
【００８４】
上に記述された内容は1つ以上の実施形態の例を含む。もちろん、前述の実施形態を記述する目的のために、コンポーネントまたは方法論の全ての考えられる組み合わせを記述することは不可能である。しかし、当事者は、様々な実施形態の多くのさらなる組み合わせおよび入れ替えが可能であることを認識しうる。従って、記述された実施形態は、添付の請求項の精神および範囲に入るそのような代替、変更、および変化の全てを包含することを意図する。さらに、詳細な説明またはクレームのいずれかにおいて「含む」という用語が使用される限り、そのような用語は、「備える」がクレームにおいて移行語として用いられる場合に解釈されるように、「備える」という用語と類似した方法において包括的であることを意図する。
【図１】
2011525319.tif 000004
【図２】
2011525319.tif 000005
【図３Ａ】
2011525319.tif 000006
【図３Ｂ】
2011525319.tif 000007
【図４】
2011525319.tif 000008
【図５】
2011525319.tif 000009
【図６】
2011525319.tif 000010
【図７】
2011525319.tif 000011
【図８】
2011525319.tif 000012
【図９Ａ】
2011525319.tif 000013
【図９Ｂ】
2011525319.tif 000014
【図１０】
2011525319.tif 000015
【図１１】
2011525319.tif 000016
【図１２】
2011525319.tif 000017
【図１３】
2011525319.tif 000018
【図１４】
2011525319.tif 000019
【図１５】
2011525319.tif 000020
【国際調査報告】
2011525319.tif 000021
2011525319.tif 000022
2011525319.tif 000023
2011525319.tif 000024